(57)【要約】      （修正有）【課題】忌避線を架空線に取り付ける作業の作業性を向上させる忌避線架線具を提供する。【解決手段】架空線に取り付けて用いられ、忌避線を架空線に沿って架ける忌避線架線具１であって、取付部１１と、支持部１５と、保持部６３と、を備える。取付部１１は、当該忌避線架線具１を架空線に取り付けるための構成である。支持部１５は、忌避線を、架空線から距離を開けた所定の位置で支持可能に構成されている。保持部６３は、束ねた状態の忌避線を保持可能に構成されている。【選択図】図１
0003218772.tif 000002
【実用新案登録請求の範囲】
【請求項１】
架空線に取り付けて用いられ、忌避線を前記架空線に沿って架ける忌避線架線具であって、
当該忌避線架線具を前記架空線に取り付けるための取付部と、
前記忌避線を、前記架空線から距離を開けた所定の位置で支持可能に構成された支持部と、
束ねた状態の前記忌避線を保持可能に構成された保持部と、を備える、忌避線架線具。
【請求項２】
請求項１に記載の忌避線架線具であって、
前記保持部は、前記支持部よりも前記取付部から離れた位置に設けられている、忌避線架線具。
【請求項３】
請求項１又は請求項２に記載の忌避線架線具であって、
前記保持部は、束ねた状態の前記忌避線を挿入可能である少なくとも１つの貫通穴を含む、忌避線架線具。
【請求項４】
請求項３に記載の忌避線架線具であって、
前記保持部は、前記貫通穴を構成する壁面の一部が開放されている、忌避線架線具。
【請求項５】
請求項１又は請求項２に記載の忌避線架線具であって、
前記保持部は、束ねた状態の前記忌避線を挿入可能である少なくとも１つの切り欠きを含む、忌避線架線具。
【請求項６】
請求項１又は請求項２に記載の忌避線架線具であって、
前記保持部は、束ねた状態の前記忌避線を挟み込んで保持可能に構成されている、忌避線架線具。
【請求項７】
請求項６に記載の忌避線架線具であって、
前記保持部は、束ねた状態の前記忌避線を挟み込んで保持可能な第１の状態と、束ねた状態の前記忌避線の挟み込みが不能である第２の状態と、に遷移可能に構成されている、忌避線架線具。
【請求項８】
請求項１から請求項７のいずれか１項に記載の忌避線架線具であって、
前記取付部には、前記架空線を保持する操作を行うための操作部が設けられており、
前記保持部は、当該忌避線架線具が架空線に取り付けられた状態における該架空線の位置を基準として、前記操作部とは反対側の位置に設けられている、忌避線架線具。
【請求項９】
複数の忌避線架線具と、
前記複数の忌避線架線具を着脱可能に保持するとともに、該複数の忌避線架線具を架空線に設置する作業で用いることが可能な設置具と、
忌避線と、
を含む忌避線架線具セットであって、
前記設置具は、前記複数の忌避線架線具を所定方向に並べて保持可能であるとともに、前記所定方向に沿って前記忌避線架線具を移動させることにより前記設置具への前記忌避線架線具の着脱を実現可能に構成された１つ以上の棹状部を備え、
前記複数の忌避線架線具は、請求項１から請求項８のいずれか１項に記載の忌避線架線具であって、前記棹状部に並べて保持されており、
前記忌避線は、該忌避線の長さ方向に関して異なる複数の部分が、それぞれ束ねられて、複数の束を形成しており、
前記複数の忌避線架線具それぞれは、前記支持部にて、前記忌避線における束ねられていない部分を支持しており、
前記複数の束は、前記複数の忌避線架線具それぞれの前記保持部のいずれかに保持されている、忌避線架線具セット。
【考案の詳細な説明】
【技術分野】
【０００１】
本開示は、架空線に取り付けられ、忌避線を架空線に架ける忌避線架線具に関する。
【背景技術】
【０００２】
架空線には、鳥害を防止するため、架空線の上方に鳥害防止用の忌避線が架けられることがある。この忌避線を架空線の上方に架けるために用いられるのが忌避線架線具であり、架空線には複数の忌避線架線具が架空線の長手方向に沿って所定間隔ごとに設置される。忌避線架線具は、架空線に取り付けるための部分と、忌避線を支持するための部分と、を含む。
【先行技術文献】
【特許文献】
【０００３】
【特許文献１】特開２０１３−１４１４５２号公報
【考案の概要】
【考案が解決しようとする課題】
【０００４】
忌避線は架空線に沿って配置されるものであるため、非常に長い。よって、架空線に忌避線保持具を取り付ける際に、忌避線がどのように収容されているかによって取り付けの作業性が変化する。
【０００５】
本開示の目的は、忌避線の取り付けの作業性を向上させる技術を提案することである。
【課題を解決するための手段】
【０００６】
本開示の一態様は、架空線に取り付けて用いられ、忌避線を架空線に沿って架ける忌避線架線具であって、取付部と、支持部と、保持部と、を備える。取付部は、当該忌避線架線具を架空線に取り付けるための構成である。支持部は、忌避線を、架空線から距離を開けた所定の位置で支持可能に構成される。保持部は、束ねた状態の忌避線を保持可能に構成される。
【０００７】
このような構成であれば、束ねた状態の忌避線を保持することができるため、長い忌避線が架空線への取り付け作業の妨げになってしまうことが抑制でき、作業性を向上させることができる。
【０００８】
上述した保持部は、支持部よりも取付部から離れた位置に設けられていてもよい。このような構成であれば、保持部が支持部よりも取付部から離れているため、保持部に保持された忌避線を保持部から取り出すときに、支持部が邪魔になりにくく、作業性を向上させることができる。
【０００９】
上述した保持部は、束ねた状態の忌避線を挿入可能である少なくとも１つの貫通穴を含んでもよい。このような構成であれば、貫通穴に差し込むことで忌避線を保持できるため、忌避線の保持部に対する着脱を簡便に行うことができる。また、このような保持部は、貫通穴を構成する壁面の一部が開放されていてもよい。このような構成であれば、束ねた状態の忌避線の保持部への出し入れをより簡便なものとすることができる。
【００１０】
上述した保持部は、束ねた状態の忌避線を挿入可能である少なくとも１つの切り欠きを含んでもよい。このような構成であれば、切り欠き部分に差し込むことで忌避線を保持できるため、忌避線の保持部に対する着脱を簡便に行うことができる。
【００１１】
上述した保持部は、束ねた状態の忌避線を挟み込んで保持可能に構成されていてもよい。このような構成であれば、保持部で挟み込むことで忌避線を保持できるため、忌避線の保持部に対する着脱を簡便に行うことができる。さらに、このような保持部は、束ねた状態の忌避線を挟み込んで保持可能な第１の状態と、束ねた状態の忌避線の挟み込みが不能である第２の状態と、に遷移可能に構成されていてもよい。このような構成であれば、使用者は、保持部を第１の状態と第２の状態とのいずれかに切替えることにより、保持部が忌避線を保持する状態と保持しない状態とを容易に切替えることができる。
【００１２】
上述した取付部には、架空線を保持する操作を行うための操作部が設けられていてもよい。また保持部は、当該忌避線架線具が架空線に取り付けられた状態における架空線の位置を基準として、操作部とは反対側の位置に設けられていてもよい。
【００１３】
このような構成であれば、保持部が操作部とは離れた位置に設けられているため、保持部及び操作部のいずれか一方に対して作業を行う際に、他方が作業の妨げになってしまうことが抑制され、作業性を向上させることができる。
【００１４】
本開示の別の態様は、複数の忌避線架線具と、複数の忌避線架線具を着脱可能に保持するとともに、複数の忌避線架線具を架空線に設置する作業で用いることが可能な設置具と、忌避線と、を含む忌避線架線具セットであって、設置具は、複数の忌避線架線具を所定方向に並べて保持可能であるとともに、所定方向にそって忌避線架線具を移動させることにより設置具への忌避線架線具の着脱を実現可能に構成された１つ以上の棹状部を備える。複数の忌避線架線具は、上述した本開示の一態様の忌避線架線具であって、棹状部に並べて保持されている。忌避線は、該忌避線の長さ方向に関して異なる複数の部分が、それぞれ束ねられて、複数の束を形成している。複数の忌避線架線具それぞれは、支持部にて、忌避線における束ねられていない部分を支持している。また、忌避線の複数の束は、複数の忌避線架線具それぞれの保持部のいずれかに保持されている。
【００１５】
このような構成であれば、忌避線が保持部に取り付けられた複数の忌避線保持具を同時に扱うことができ、また忌避線架線具が上述した本開示の一態様の忌避線架線具であるため、作業性を向上させることができる。
【図面の簡単な説明】
【００１６】
【図１】実施形態の忌避線架線具を示す斜視図であって、図１Ａは移動部を下方に移動させた状態の斜視図であり、図１Ｂは移動部を上方に移動させた状態の斜視図である。
【図２】図２Ａは保持部に忌避線を挿入した状態を前方から見た斜視図であり、図２Ｂは保持部に忌避線を挿入した状態を後方から見た斜視図である。
【図３】実施形態の設置具を示す斜視図である。
【図４】忌避線架線具の側面図である。
【図５】忌避線架線具を設置具に取り付けた状態の斜視図である。
【図６】忌避線架線具を設置具に取り付けた状態の側面図である。
【図７】図７Ａは保持部に忌避線を挿入した状態の写真であり、図７Ｂは複数の忌避線架線具を設置具に取り付けた状態の写真である。
【図８】図８Ａは忌避線架線具セットを架空線に取り付けた状態の写真であり、図８Ｂ及び図８Ｃは忌避線架線具セットから１つの忌避線架線具を取り外した状態の写真である。
【図９】架空線に忌避線を張った状態の写真である。
【図１０】図１０Ａ〜図１０Ｉは、いずれも、保持部の変形例を示す斜視図である。
【考案を実施するための形態】
【００１７】
以下に本開示の実施形態を図面と共に説明する。
［１．実施形態］
［１−１．忌避線架線具の全体構成］
本実施形態の忌避線架線具１は、架空線に取り付けられ、忌避線を架空線に沿って架ける忌避線架線具であって、図１Ａ及び図１Ｂに示すように、取付部１１と、延出部１３と、を備えている。また忌避線架線具１は、図７Ｂに示されるように、設置具１０１により、複数同時に保持される。ここでいう忌避線とは、架空線の上方に架空線に沿って設けられる、鳥害防止用の線である。
【００１８】
以下の説明において、上下方向は、忌避線下線具の一つの例示的な使用態様における上下方向であり、左右方向は架空線に取り付けた際に架空線の長さ方向となる方向である。説明の便宜上、上下左右及び前後の方向を用いて構造を説明するが、これらの方向に本考案が限定されることはない。
【００１９】
［１−２．取付部］
取付部１１は、収容部２１と、蓋部２３と、移動部２５と、操作部４１とを備えている。取付部１１は当該忌避線架線具１を架空線に取り付ける。
【００２０】
収容部２１は、コの字形状に形成されており、忌避線架線具１が架空線に取り付けられるときには架空線を内部に収容して、架空線の上下及び後方の三方を覆う。収容部２１は、言い換えると、前方が開放された略環状形状である。収容部２１は、架空線の下方側を覆う第１挟部２１ａと、架空線の上方側を覆う部分を第２挟部２１ｂと、を備える。
【００２１】
蓋部２３は、略長方形状であり、長手方向の一端が、第２挟部２１ｂの前方端部を支点として回動可能に固定されている。蓋部２３は、収容部２１の前方の開放部分を閉塞して収容部２１と共に環状体を形成する閉位置と、収容部２１の前方を開放する開位置と、の間で移動可能である。
【００２２】
収容部２１及び蓋部２３の間の空間が、架空線を差し入れることができる大きさの差入空間２７である。蓋部２３が開位置のとき、差入空間２７への架空線の出し入れが可能となる。蓋部２３が閉位置となって収容部２１及び蓋部２３が環状体を構成しているときには、架空線の出し入れはできない。
【００２３】
また、蓋部２３の長手方向の他端側には固定用孔３３が設けられており、第１挟部２１ａの前端に設けられた突起３１を固定用孔３３に挿して嵌めると、第１挟部２１ａに対して蓋部２３を固定することができる。
また蓋部２３は、図１Ａから明らかなように、第２挟部２１ｂに回動可能に取り付けられる側（以下、一端側とも記載する）が、他端側に比べて幅広に形成されている。
【００２４】
移動部２５は、差入空間２７の内部にて上下方向に移動可能に構成されている。また、移動部２５における蓋部２３側の端部には、蓋固定部３５が形成されている。蓋固定部３５は、図１Ｂに示されるように、移動部２５が相対的に高い位置にあるときに、閉位置にある蓋部２３の幅広な部分を係止して、蓋部２３が移動することを抑制する。このときの移動部２５の位置は、移動部２５が架空線を第２挟部２１ｂとの間に挟むことが可能な位置であって、以下では第１挟位置とも記載する。
【００２５】
操作部４１は、架空線を保持する操作を行うための部分である。操作部４１は円筒形状に形成されており、第１挟部２１ａの下方にて、上下方向の回転軸を中心として回転可能に取付部１１に取り付けられている。
【００２６】
また、取付部１１には、第１挟部２１ａを貫通するように、上下方向に長さを有する突出部４３が設けられている。操作部４１が回転操作されると、回転方向に応じて、突出部４３の第１挟部２１ａからの突出量が増減するように構成されている。移動部２５は、突出部４３の上端に連結されている。即ち、操作部４１が回転操作されることで、移動部２５が差入空間２７の内部で上下方向に移動する。
また第１挟部２１ａの上側面には、突出部４３を取り囲むように、環状の取付用円盤３７が設けられている。
【００２７】
以上のように構成された取付部１１は、蓋部２３が開位置であるときに、架空線を差入空間２７（第２挟部２１ｂと移動部２５との間の空間）に差し入れることができる。差入空間２７に架空線が差し入れられた状態において、操作部４１を操作して移動部２５を第１挟位置に移動すれば、第２挟部２１ｂと移動部２５との間に架空線が挟まれて忌避線架線具１が架空線に固定される。このとき、蓋部２３が蓋固定部３５を介して収容部２１に係止されるため、架空線が差入空間２７から抜けてしまうことが抑制される。
【００２８】
［１−３．延出部］
延出部１３は、第２挟部２１ｂの上方に設けられている。延出部１３は、左右一対の側板５１を備える。側板５１は、上下方向に長細い平板形状であって、互いに対向するように左右に並べて配置されており、上端部分で繋がっている。延出部１３は、支持部１５と、保持部６３と、を備えている。
【００２９】
＜支持部の構成＞
延出部１３の上下方向の中央部には、忌避線を、架空線から距離を開けた位置で支持する支持部１５が設けられている。支持部１５は、固定具５３、長孔部５５、忌避線係止溝５９ａ，５９ｂなどを備える。
【００３０】
固定具５３は、軸方向が左右方向に沿った回転軸５７に対して回転可能に固定されている。回転軸５７は、長孔部５５の内部に設けられている。長孔部５５は、上下方向に細長い長方形状の孔部であり、延出部１３の上端から下方に１／５程度下がった地点から３／５程度下がった地点にまで形成されている。
【００３１】
固定具５３は、所定の回転位置である折畳位置に位置するとき、延出部１３に対して固定される。本実施形態では、一対の側板５１それぞれに設けられた忌避線係止溝５９ａ又は忌避線係止溝５９ｂを通るように忌避線を配置した後、固定具５３を折畳位置に移動させて延出部１３に固定することで、忌避線が忌避線架線具１に固定される。
【００３２】
＜保持部の構成＞
延出部１３の上端部には、左右一対の５１の間に配置され、上下左右に広がる縦板６１が設けられている。縦板６１には、貫通穴である保持部６３が設けられる。
【００３３】
保持部６３は、図２Ａ，図２Ｂに示されるように、束ねた状態の忌避線３を挿入可能であって、挿入された忌避線３を保持可能に構成されている。図１Ａ，図１Ｂに示されるように、保持部６３の設けられる位置は、延出部１３よりも取付部１１から離れた位置である。また保持部６３は、忌避線架線具１が架空線に取り付けられた状態における該架空線の位置（差入空間２７）を基準として、操作部４１とは反対側の位置に設けられている。
以上のように構成された忌避線架線具１を、架空線に所定間隔ごとに複数取り付けることで、架空線の上方にて架空線に沿うように鳥害防止用の忌避線３を張ることができる。なお、ここでいう束ねた状態の忌避線とは、１本の忌避線の一部の範囲をまとめた状態を意味している。忌避線をまとめる方法は特に限定されない。
【００３４】
［１−４．設置具］
図３に示す設置具１０１は、上述の忌避線架線具１を架空線に掛けるために用いられる器具である。
【００３５】
設置具１０１は、基部１０３と、棹状部１０５と、引掛部１０７と、被支持部１１１と、を備える。
棹状部１０５は、柱状の部材であって、基部１０３から左右それぞれの方向に２本ずつ、前後に間隔を開けて並ぶように延び出している。図５に示されるように、前方側の棹状部１０５の前端部と、後方側の棹状部１０５の後端部と、には下方に延びる縦壁部１０５ａが形成されている。
【００３６】
説明を図３に戻る。引掛部１０７は、土台部１１３、立面部１１５、及び掛部１１７などを備える。土台部１１３は、基部１０３に形成された平面形状の部分である。立面部１１５は、土台部１１３の後方側の端部から上方に向かって延設されている。掛部１１７は、立面部１１５の上端から前方に向かって延設されている。掛部１１７の後方部分である上方凸部１１７ａは、上方側に向かって凸状に形成され、掛部１１７の前方部分である下方突部１１７ｂは、下方側に向かって凸状に形成されている。下方突部１１７ｂと土台部１１３との間には、架空線を通すことができるように間隔が設けられている。
【００３７】
被支持部１１１は、活線作業用の工事具により挟んで支持される部分であって、基部１０３の後方側の側面から下方側に向かって延設され、その下端から前方側の下方に向かって傾斜して延び出している。また、被支持部１１１には、左右方向の各縁部に沿って、傾斜部分の上面から突出した滑止部１１１ａが形成されている。
【００３８】
なお、活線作業用の工事具としては、図８Ｂに示すように、竿の先端部が二股に分かれて２本の指部を構成しており、各指部の間に対象物を挟んで対象物を把持することが可能な道具が例示される。
【００３９】
［１−５．設置具への忌避線架線具の固定］
図４〜図６を用いて、設置具１０１に忌避線架線具１を取り付ける方法を説明する。
まず、図４に示すように、移動部２５を上方（第２挟部２１ｂの側）に移動して、第１挟部２１ａと移動部２５との間の空間に棹状部１０５を差し込むことができる差込空間２９を作る。そして、図５に示されるように、その差込空間２９に、棹状部１０５を差し込む。前後一対の棹状部１０５は、突出部４３を挟み込む位置関係となる。
【００４０】
次に、図６に示されるように、操作部４１を操作して移動部２５を第１挟部２１ａに向かって下降させ、第１挟部２１ａと移動部２５との間に棹状部１０５を挟む。以上の操作で、忌避線架線具１を設置具１０１に取り付けることができる。このときの移動部２５の位置を、第２挟位置と記載する。
【００４１】
図６に示されるように、本実施形態では、棹状部１０５は、移動部２５と、第１挟部２１ａに設置された取付用円盤３７と、の間に挟まれている。またこのとき、縦壁部１０５ａは、取付用円盤３７の側面に小さなクリアランスで当接した状態となる。
【００４２】
移動部２５が上述した第２挟位置に位置するときは、図６に示されるように、引掛部１０７の上方凸部１１７ａは、第１挟部２１ａよりも低い位置となる。このとき、設置具１０１及び忌避線架線具１に架空線を嵌めると、引掛部１０７の上方凸部１１７ａに架空線の上面が当接するため、忌避線架線具１は架空線から浮いた状態（荷重を大きく架空線に掛けない状態）となる。また、架空線が上方凸部１１７ａに嵌った状態においては、下方突部１１７ｂが上方凸部１１７ａから架空線が抜けることを抑制する。
【００４３】
［１−６．架空線への忌避線架線具の取り付け］
設置具１０１を用いて架空線に複数の忌避線架線具１を取り付ける方法を、図７〜図９を用いて説明する。
【００４４】
（ｉ）忌避線架線具セットの形成
まず、図７Ａに示されるように、忌避線３の一部が束ねて保持部６３に保持され、かつ、忌避線３が支持部１５にも支持された状態とする。
【００４５】
次に、図７Ａの状態の複数の忌避線架線具１を設置具１０１の棹状部１０５に取り付けることにより、図７Ｂに示されるように、棹状部１０５に複数の忌避線架線具１が並べて保持されてなる忌避線架線具セット１５１が構成される。各忌避線架線具１の移動部２５を第２挟位置に位置させることで、移動部２５と第１挟部２１ａとにより棹状部１０５が挟み込まれ、忌避線架線具１が棹状部１０５から脱落してしまうことを抑制できる。なお、移動部２５を第２挟位置とすると、蓋部２３は開位置と閉位置の両方に移動可能であるが、架空線５への取り付けを行うときには、蓋部２３は予め開位置としておく。
【００４６】
ところで、忌避線架線具セット１５１における忌避線架線具１の並び順が、架空線に配置される忌避線架線具１の並び順となる。複数の忌避線架線具１の支持部１５それぞれは、１つの忌避線３における間隔を空けた異なる部分を支持している。この間隔は、複数の忌避線架線具１が実際に架空線に取り付けられるときの間隔と同じ間隔である。そして、忌避線３のうち支持部１５により支持されていない部分が、束ねられて保持部６３に保持される。
【００４７】
言い換えると、忌避線３は、該忌避線３の長さ方向に関して異なる複数の部分が、それぞれ束ねられて、複数の束を形成している。複数の束は、複数の忌避線架線具１それぞれの保持部６３のいずれかに保持されている。また、複数の忌避線架線具１それぞれは、支持部１５にて、忌避線３における束ねられていない部分を支持している。
【００４８】
図７Ｂの例を用いて具体的に説明する。図中で最も左の忌避線架線具１（以下、架線具１Ａと記載する）は、支持部１５により忌避線３を支持している。一方、架線具１Ａの保持部６３は使用されていない。左から２番目の忌避線架線具１（以下、架線具１Ｂと記載する）は、支持部１５にて忌避線３を支持している。ここで、忌避線３における架線具１Ａにより支持される部分と、架線具１Ｂにより支持される部分とは、架線具１Ａと架線具１Ｂとが架空線５に取り付けられたときの間隔と同じ間隔を有するため、架線具１Ａと架線具１Ｂとが隣接した状態では、それらの間の忌避線３が弛んだ状態となってしまう。忌避線３におけるこの弛んだ部分を、束ねて、架線具１Ｂの保持部６３に保持させることで、忌避線３をすっきりと収納できる。架線具１Ｂよりも右側の忌避線架線具１も、架線具１Ｂと同様に、束ねられた忌避線３を保持部６３にて保持する。
【００４９】
（ｉｉ）架空線への忌避線架線具の取り付け
図８Ａに示されるように、活線作業用の工事具を用いて、忌避線架線具セット１５１を架空線５に接近させ、架空線５を差入空間２７に差し入れる。より詳細には、第２挟部２１ｂ及び移動部２５の間の空間に、引掛部１０７の掛部１１７に掛かるように架空線５を差し入れる。上述したように、移動部２５が第２挟位置にあれば掛部１１７が第２挟部２１ｂよりも下方に位置することから、設置具１０１は架空線５に引っ掛かるが、各忌避線架線具１は架空線５から僅かに浮いた状態となる。
【００５０】
続いて、図８Ｂに示すように、最も端の架線具１Ａを棹状部１０５の長手方向にスライドさせて設置具１０１から取り外し、架空線５に掛ける。そして、図８Ｃに示すように、取り外した架線具１Ａと、それ以外の忌避線架線具セット１５１との相対的な距離を広げていく。架線具１Ａと架線具１Ｂとの間隔が広がると、忌避線３における架線具１Ｂの保持部６３に保持されていた部分が保持部６３から抜けて取り外され、架空線５に沿って拡がって延びることが可能になる。もちろん、作業者が、架線具１Ａと架線具１Ｂとの間隔を広げる前に、予め保持部６３から忌避線３を抜き出しておいてもよい。
【００５１】
忌避線架線具セット１５１の全ての忌避線架線具１を、適切な間隔を空けて架空線５に取り付けると、図９に示されるように、架空線５の上方に間隔を空けて、かつ架空線５とほぼ平行に、忌避線３が架線される。
【００５２】
［１−７．効果］
以上詳述した実施形態によれば、以下の効果が得られる。
（１ａ）本実施形態の忌避線架線具１は、保持部６３によって、束ねた状態の忌避線３、即ち、支持部１５にて支持されていない部分の忌避線３を保持することができる。そのため、忌避線３が忌避線架線具１を架空線５に取り付ける作業の妨げになりにくく、作業性を向上させることができる。
【００５３】
（１ｂ）忌避線架線具１では、保持部６３が支持部１５よりも取付部１１から離れているため、保持部６３に保持された忌避線３を保持部６３から取り出すときに、支持部１５が邪魔になりにくく都合がよい。
【００５４】
（１ｃ）忌避線架線具１では、貫通穴に差し込むことで忌避線３を保持できるため、忌避線３の保持部６３からの取り外し、及び保持部６３への取り付けを簡便に行うことができる。
【００５５】
（１ｄ）忌避線架線具１では、保持部６３が操作部４１とは離れた位置に設けられているため、保持部６３に保持された忌避線３を保持部６３から取り出すときに、支持部１５が邪魔になりにくく、作業性が向上する。
【００５６】
（１ｅ）上記実施形態の忌避線架線具セット１５１では、忌避線３が保持部６３に取り付けられた複数の忌避線架線具１を同時に扱うことができるので、忌避線架線具の架空線への取り付けを簡便に行うことができる。
【００５７】
［２．その他の実施形態］
以上、本開示の実施形態について説明したが、本開示は、上記実施形態に何ら限定されることはなく、本開示の技術的範囲に属する限り種々の形態をとり得ることはいうまでもない。
【００５８】
（２ａ）上記実施形態にて例示した忌避線架線具１は一例に過ぎず、取付部１１の架空線に取り付けるための具体的な構造、延出部１３の形状、支持部１５の具体的な構造などは何ら限定されることなく、様々な構成とすることができる。
【００５９】
また、設置具１０１の具体的な形状も特に限定されず、忌避線架線具１を支持可能な様々な構成とすることができる。
（２ｂ）上記実施形態では、保持部６３は、延出部１３に設けられた貫通孔である構成を例示した。しかしながら、束ねた状態の忌避線を保持可能であれば、その具体的な形状は特に限定されない。
【００６０】
図１０Ａに示す保持部２０１は、延出部１３ａの先端部に設けられた貫通穴であるが、貫通穴を構成する壁面の一部が開放されている。別の言い方をすれば、保持部２０１は、束ねた状態の忌避線を挿入可能である切り欠きである。このような構成であれば、保持部２０１への忌避線の着脱をスムーズに行うことができる。なお、切り欠きは延出部１３ａに２つ以上設けられていてもよい。
【００６１】
図１０Ｂに示す保持部２０２は、延出部１３ｂの先端部に設けられた、束ねた状態の忌避線を挿入可能である切り欠きであって、図１０Ａとは異なる形状の切り欠きである。別の言い方をすれば、保持部２０２は、束ねた状態の忌避線を挟み込んで保持可能に構成されている。このような構成であれば、保持部２０２への忌避線の着脱をスムーズに行うことができる。
【００６２】
図１０Ｃに示す保持部２０３は、延出部１３ｃの上端に設けられたリング状の部材である。この保持部２０３のように、保持部は、延出部の外部に設けられたものであってもよい。
【００６３】
図１０Ｄに示す保持部２０４は、延出部１３ｄの先端部に設けられた貫通穴であるが、貫通穴は左右一対の側板５１に設けられている。この保持部２０４のように、貫通穴である保持部は、異なる方向に向くように複数設けられていてもよい。
【００６４】
図１０Ｅに示す保持部２０５は、図１０Ｄと同様に、延出部１３ｅの先端部における左右一対の側板５１に設けられている２つの貫通穴であるが、穴の形状が丸穴ではなく角穴である。この保持部２０５のように、貫通穴の形状は特に限定されず、様々な形状とすることができる。
【００６５】
図１０Ｆに示す保持部２０６は、延出部１３ｆの先端部に設けられた貫通穴であるが、貫通穴は上下に細長い穴であって、左右に２つ並べて配置されている。
図１０Ｇに示す保持部２０７は、延出部１３ｇの先端部に設けられた貫通穴であるが、貫通穴は上下に長い穴であって、かつ、上下方向の中央部分の左右の幅が狭くなっている。
【００６６】
図１０Ｈに示す保持部２０８は、延出部１３ｈの先端部に設けられたリング状の部材であって、一部が開放され、略Ｃ字型の形状である。
図１０Ｉに示す保持部２１１は、延出部１３ｉの先端部に設けられている。保持部２１１は、ヒンジ２１３を介して、取付部（図示しない）側の固定部２１５と、固定部２１５に対して相対的に移動する可動部２１７と、が連結されている。固定部２１５と可動部２１７とを係止爪２１９などを用いて係止すると、固定部２１５側の溝２２１と、可動部２１７側の溝２２３と、が組み合わさって１つの貫通孔が形成される。このようにして、保持部２１１は、束ねた状態の忌避線を挟み込んで保持可能に構成される。
【００６７】
また固定部２１５と可動部２１７は、係止爪２１９を用いて互いに係合して、束ねた状態の忌避線を挟み込んで保持可能な第１の状態と、図１０Ｉに示されるような、束ねた状態の忌避線の挟み込みが不能である第２の状態と、に遷移可能に構成されている。このような構成であれば、狭持部によって忌避線の保持を簡便に行うことができることに加え、第１の状態と第２の状態とで忌避線の保持力に大きな差を設けることで、忌避線の取り付け及び取り外しを確実に実行することができるようになる。
【００６８】
（２ｃ）上記実施形態では、保持部６３が支持部１５よりも取付部１１から離れた位置に設けられている構成を例示したが、保持部が支持部よりも取付部側に近い位置に設けられていてもよい。
【００６９】
（２ｄ）上記実施形態では、保持部６３が架空線５を基準として操作部４１とは反対側の位置に設けられる構成を例示したが、保持部と操作部との位置関係は、上記実施形態に限定されない。
【００７０】
（２ｅ）本開示の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００７１】
１…忌避線架線具、３…忌避線、５…架空線、１１…取付部、１３（１３ａ〜１３ｉ）…延出部、１５…支持部、２１…収容部、２１ａ…第１挟部、２１ｂ…第２挟部、２３…蓋部、２５…移動部、２７…差入空間、２９…差込空間、３１…突起、３３…固定用孔、３５…蓋固定部、３７…取付用円盤、４１…操作部、４３…突出部、５１…側板、５３…固定具、５５…長孔部、５７…回転軸、５９ａ…忌避線係止溝、５９ｂ…忌避線係止溝、６１…縦板、６３…保持部、１０１…設置具、１０３…基部、１０５…棹状部、１０５ａ…縦壁部、１０７…引掛部、１１１…被支持部、１１１ａ…滑止部、１１３…土台部、１１５…立面部、１１７…掛部、１１７ａ…上方凸部、１１７ｂ…下方突部、１５１…忌避線架線具セット、２０１〜２０８…保持部、２１１…保持部、２１３…ヒンジ、２１５…固定部、２１７…可動部、２１９…係止爪、２２１…溝、２２３…溝
【図１】
0003218772.tif 000003
【図２】
0003218772.tif 000004
【図３】
0003218772.tif 000005
【図４】
0003218772.tif 000006
【図５】
0003218772.tif 000007
【図６】
0003218772.tif 000008
【図７】
0003218772.tif 000009
【図８】
0003218772.tif 000010
【図９】
0003218772.tif 000011
【図１０】
0003218772.tif 000012